(57)【要約】【課題】ハードディスクドライブが正常であるか異常であるかを簡単に把握することができるハードディスクドライブ接続装置を提供する。【解決手段】上面部に形成される差込穴にハードディスクドライブを差し込むことにより外部の装置と該ハードディスクドライブとを接続可能なハードディスクドライブ接続装置であって、前記ハードディスクドライブ接続装置の側面部に、少なくとも、前記差込穴に差し込まれたハードディスクドライブの動作状態についての診断結果を、診断結果に対応する色の光で表示するＬＥＤ表示部を備えることを特徴とするハードディスクドライブ接続装置。【選択図】図１
0003178768.tif 000002
【実用新案登録請求の範囲】
【請求項１】
上面部に形成される差込穴にハードディスクドライブを差し込むことにより外部の装置と該ハードディスクドライブとを接続可能なハードディスクドライブ接続装置であって、
前記ハードディスクドライブ接続装置の側面部に、少なくとも、前記差込穴に差し込まれたハードディスクドライブの動作状態についての診断結果を、診断結果に対応する色の光で表示するＬＥＤ表示部を備えることを特徴とするハードディスクドライブ接続装置。
【請求項２】
前記ＬＥＤ表示部は、前記ハードディスクドライブが正常な状態であることを示す第１の色のＬＥＤと、前記ハードディスクドライブが注意が必要な注意状態であることを示す第２の色のＬＥＤと、前記ハードディスクドライブが故障している故障状態であることを示す第３の色のＬＥＤと、を備えることを特徴とする請求項１に記載のハードディスクドライブ接続装置。
【考案の詳細な説明】
【技術分野】
【０００１】
本考案は、ハードディスクドライブとコンピュータなどの装置とを接続する接続装置に関し、特に、ハードディスクドライブの動作状態に関する診断結果を表示する表示部を備える、ハードディスクドライブ接続装置に関するものである。
【背景技術】
【０００２】
従来、パーソナルコンピュータ（ＰＣ）等の外部記憶装置として、外付けハードディスクドライブ（ＨＤＤ）が用いられている。近年では、デジタルテレビや地上デジタルチューナーなどの映像装置の外部記憶装置としても使用されるようになり、その用途は拡大している。
【０００３】
外付けＨＤＤの形態としては、ＨＤＤ本体がケース内部に収容されたものや、ＨＤＤ本体を差し込んで接続するスタンドタイプのものなどがある。
【考案の概要】
【考案が解決しようとする課題】
【０００４】
外付けＨＤＤは、長期間の使用などによりＨＤＤ自体（ＨＤＤ本体）に不具合が生じ始めていても、その不調を把握することは困難である。特にテレビなどコンピュータ以外の装置に直接接続して用いられる場合には、コンピュータに接続する場合のようにソフトを実行してＨＤＤを診断することはできないので、不調を把握することがさらに困難である。
【０００５】
本考案はこのようなハードディスクドライブの課題を解決するものであり、ハードディスクドライブが正常であるか異常であるかを簡単に把握することができるハードディスクドライブ接続装置を提供することを目的とする。
【課題を解決するための手段】
【０００６】
本考案は上記課題を解決するためになされたものであり、その考案の要旨とするところは以下のとおりである。
【０００７】
（１）上面部に形成される差込穴にハードディスクドライブを差し込むことにより外部の装置と該ハードディスクドライブとを接続可能なハードディスクドライブ接続装置であって、前記ハードディスクドライブ接続装置の側面部に、少なくとも、前記差込穴に差し込まれたハードディスクドライブの動作状態についての診断結果を、診断結果に対応する色の光で表示するＬＥＤ表示部を備えることを特徴とするハードディスクドライブ接続装置。
【０００８】
（２）上記（１）の構成において、前記ＬＥＤ表示部は、前記ハードディスクドライブが正常な状態であることを示す第１の色のＬＥＤと、前記ハードディスクドライブが注意が必要な注意状態であることを示す第２の色のＬＥＤと、前記ハードディスクドライブが故障している故障状態であることを示す第３の色のＬＥＤと、を備えることを特徴とする。
【考案の効果】
【０００９】
本考案によれば、ハードディスクドライブが正常であるか異常であるかを簡単に把握することができるハードディスクドライブ接続装置を提供することができる。
【図面の簡単な説明】
【００１０】
【図１】ハードディスクドライブ接続装置の正面図である。
【図２】ハードディスクドライブ接続装置の背面図である。
【図３】ハードディスクドライブ接続装置の上面図である。
【図４】ハードディスクドライブ接続装置の機能を示す機能ブロック図である。
【考案を実施するための形態】
【００１１】
以下、本考案の実施形態について、図面を参照しつつ説明する。
【００１２】
図１は、本実施形態のハードディスクドライブ（ＨＤＤ）の接続装置（以下、ＨＤＤ接続装置とよぶ）１の正面部を示す正面図である。図２は、ＨＤＤ接続装置１の背面部を示す背面図である。図３は、ＨＤＤ接続装置１の上面を示す上面図である。
【００１３】
本実施形態のＨＤＤ接続装置１は、箱型の形状（略直方体状）であり、図１に示す正面部にＬＥＤ表示部２と、電源ボタン４が配置され、図２に示す背面部にＵＳＢ端子１０と、電源入力端子１１とが配置される。また、図３に示す上面にＨＤＤの差込穴１６と、イジェクトボタン１８などを備える。本実施形態のＨＤＤ接続装置１は、この上面の差込穴１６にＨＤＤを差し込んで、ＵＳＢケーブルでＨＤＤ接続装置１とＰＣなどのコンピュータやテレビなどの外部の装置と接続するスタンド型の接続装置である。以下、ＨＤＤ接続装置１の各構成を説明する。
【００１４】
ＬＥＤ表示部２は、後述するＨＤＤ接続装置１の機能によりＨＤＤが正常であるのか、それとも何らかの異常があるのかの診断が行われると、ＬＥＤ表示部２に配置されるＬＥＤの点灯によりその診断結果を表示する。ＬＥＤ表示部２は、ＨＤＤ接続装置１の正面上方に配置され、図３に示すように上面側からも一部見えるように、発光する部分が上面側から正面部側につながって形成される。そして、ＬＥＤ表示部２には３色のＬＥＤが配置され、異なる色の発光により診断結果を３段階に分けて表示する。
【００１５】
具体的には、ＬＥＤ表示部２は、緑色ＬＥＤと黄色ＬＥＤと赤色ＬＥＤを備える。そして、ＬＥＤ表示部２は、診断によりＨＤＤが正常（ＧＯＯＤ）であると判定された場合には、緑色ＬＥＤを発光させて、ＨＤＤが正常であることを知らせる。また、ＬＥＤ表示部２は、ＨＤＤに何らかの問題があり、注意が必要な状態（ＣＡＵＴＩＯＮ）であるとの診断結果であった場合には、黄色ＬＥＤを発光させて注意状態であることを知らせる。また、ＬＥＤ表示部２は、ＨＤＤが故障して使用できない故障状態（ＢＡＤ）であるとの診断結果であった場合には、赤色ＬＥＤを発光させて故障状態であることを知らせる。
【００１６】
また、ＬＥＤ表示部２は、いずれかの色のＬＥＤの発光により、ＨＤＤ接続装置１の電源がオンであることを示す。また、ＬＥＤ表示部２は接続されているＨＤＤとＨＤＤ接続装置１に接続される外部装置との間でデータ通信が行われている場合に点滅してデータ通信が行われていることを知らせる。点灯、点滅の色は、その際の診断結果によって変化する。
【００１７】
なお、本実施形態ではＬＥＤ表示部２として３色の発光のために３種類のＬＥＤを備えるとしたがこれに限られない。たとえば、２種類の色のＬＥＤを備えて、それぞれ単独での発光と、２つ同時での発光により、３色の発光を実現してもよい。
【００１８】
電源ボタン４は、ＨＤＤ接続装置１の電源のオン／オフを切り替えるボタンである。電源ボタン４を押して電源がオンとされると、ＬＥＤ表示部２が点灯し、差込穴１６に差し込まれているＨＤＤが駆動される。
【００１９】
次に、ＵＳＢ接続端子１０はＵＳＢケーブルを接続する端子である。ＵＳＢ端子１０に接続されるＵＳＢケーブルにより、外付けＨＤＤを接続可能なＰＣやテレビなどの装置と、ＨＤＤ接続装置１とがデータ通信可能に接続される。ＵＳＢ接続端子１０は上述の通りＨＤＤ接続装置１の背面部に形成される。
【００２０】
電源入力端子１１は、ＨＤＤ接続装置１に差し込まれて接続されるＨＤＤに電力を供給するための端子である。電源入力端子１１にはＡＣ／ＤＣアダプタが接続される。電源入力端子１１は上述の通りＨＤＤ接続装置１の背面に形成される。電源入力端子１１から供給される電力により、ＨＤＤ接続装置１のＬＥＤ表示部２が点灯し、差し込まれているＨＤＤが駆動される。
【００２１】
ＨＤＤ接続装置１の背面にはその他に電源のオン／オフを切り替えるスイッチなどを備えてもよい。
【００２２】
次に、差込穴１６は、ＨＤＤ接続装置１により外部装置と接続するＨＤＤを差し込む穴である。ＨＤＤを差込穴１６に差し込むことで、ＨＤＤが立った状態でＨＤＤ接続装置１に支持され、ＨＤＤとのデータ通信が可能となる。差込穴１６の内部には、接続端子２０が形成されている。ＨＤＤを所定の向きで差込穴１６に差し込むことで、ＨＤＤのＳＡＴＡ規格やＩＤＥ規格の端子などの端子と接続端子２０とが接続される。
【００２３】
また、接続端子２０は２．５インチのＨＤＤと３．５インチのＨＤＤに対応しており、差込穴１６には２．５インチのＨＤＤと３．５インチのＨＤＤを接続できる。２．５インチのＨＤＤを接続した場合には、差込穴１６の内部の支持部２２によってＨＤＤの側面部が支持される。
【００２４】
イジェクトボタン１８は、差込穴１６に差し込んで接続したＨＤＤを排出するためのボタンである。ＨＤＤを交換する場合などＨＤＤを取り外す際にイジェクトボタン１８を押し込むことで、ＨＤＤを取り外すことができる。イジェクトボタン１８は、ＨＤＤ接続装置１の上面の背面側に形成される。
【００２５】
さらに、ＨＤＤ接続装置１は、ＨＤＤ接続装置１の制御部として、プロセッサ１２とメモリ１４を備える。プロセッサ１２はメモリ１４に格納されるプログラムを実行して様々な処理を行う。本実施形態ではプロセッサ１２は、ＨＤＤ診断処理プログラムを実行してＨＤＤ本体の診断処理を行い、各種表示部のＬＥＤの点灯、点滅を制御する。プロセッサ１２は、ＣＰＵ（Central Processing Unit）やＭＰＵ（Micro Processing Unit）などである。メモリ１４はプロセッサ１２によって実行されるプログラムなどを格納する記憶装置である。なお、この制御部によって実現される機能の一部又は全部を、ＡＳＩＣ（Application Specific Integrated Circuit）などの専用の回路によって実現してもよい。
【００２６】
なお、ＨＤＤ接続装置１の外観の形状は図に示した本実施形態の形状に限られず、ＨＤＤを差し込む際にぐらつくことがないような形状であればよく、直方体状あるいは底面部が上面部よりも大きい角錐台状あるいは円錐台状などの形状であればよい。
【００２７】
次に本実施形態のＨＤＤ接続装置１の機能を説明する。図３は、ＨＤＤ接続装置１の機能ブロックを示す機能ブロック図である。これらの機能は、上述の通りプロセッサ１２がメモリ１４に格納されるプログラムを実行することにより（又はＡＳＩＣにより）実現される。
【００２８】
ＨＤＤ接続装置１は、診断部１００と、表示制御部１０２と、データ通信制御部１０４と、電源制御部１０６と、を備える。
【００２９】
診断部１００は、ＨＤＤ接続装置１に接続されたＨＤＤ本体が正常に動作しているか否かを診断する。診断部１００は、ＨＤＤが備える自己診断機能であるSelf-Monitoring, Analysis and Reporting Technology（Ｓ．Ｍ．Ａ．Ｒ．Ｔ．）を利用する。診断部１００は、Ｓ．Ｍ．Ａ．Ｒ．Ｔ．機能によって生成されたＨＤＤの診断データを取得する。診断部１００は取得した診断データに基づき、正常の程度を１００分率で評価する（以下、正常の程度を示す１００分率の値を「健康値」とも呼ぶ）。本実施形態では、診断部１００は健康値１００％の場合を正常状態とし、健康値９９〜３０％の場合を注意状態とし、３０％未満の場合を故障状態とする。診断部１００はＨＤＤ接続装置１にＨＤＤが差し込まれている場合に定期的にあるいは所定のタイミングでＨＤＤの診断を行ってもよいし、ＨＤＤ接続装置１に診断実行を指示する操作ボタン等を設けて、その操作ボタンからの診断実行指示があった場合に行ってもよい。
【００３０】
本実施形態の診断部１００はＳ．Ｍ．Ａ．Ｒ．Ｔ．により検査される項目のうち、ＩＤ  ０５：Reallocated Sectors Count（代替処理済みの不良セクタ数）と、ＩＤ  ０７：Seek Error Rate（シークエラーレート）と、ＩＤ  ０Ａ：Spin Retry Count（スピンアップ再試行回数）と、ＩＤ  Ｃ４：Reallocation Event Count（セクタ代替処理発生回数）と、ＩＤ  Ｃ５：Current Pending Sector Count（代替処理保留中のセクタ数）と、ＩＤ  Ｃ６：Off-Line Scan Uncorrectable Sector Count（回復不可能セクタ数）と、の６つの項目のデータを用いて診断を行う。診断部１００は、さらに他の項目のデータを用いて診断を行ってもよい。
【００３１】
表示制御部１０２は、診断部１００によって算出された健康値に基づき、ＬＥＤ表示部２のいずれかの色のＬＥＤを点灯させる。具体的には、診断部１００がＨＤＤの健康値が１００％と診断した場合にはＬＥＤ表示部２の緑色ＬＥＤを点灯させる。また、診断部１００がＨＤＤの健康値が９９〜３０％と診断した場合にはＬＥＤ表示部２の黄色ＬＥＤを点灯させる。また、診断部１００がＨＤＤの健康値が３０％未満と診断した場合にはＬＥＤ表示部２の赤色ＬＥＤを点灯させる。
【００３２】
データ通信制御部１０４は、ＵＳＢ端子１０に接続されるＵＳＢケーブルを介して外部のＰＣやテレビなどの装置との間で行われるデータ通信を制御する。また、データ通信制御部１０４は、データ通信が行われている場合にＬＥＤ表示部２のＬＥＤを点滅させて、データ通信状態であることを知らせる。この際発光するＬＥＤは、診断部１００による診断結果によって変わり、たとえば、健康値が１００％であれば緑色ＬＥＤが点滅し、９９〜３０％の範囲であれば黄色ＬＥＤが点滅することになる。
【００３３】
電源制御部１０６は、ＨＤＤへの電力供給を制御する。本実施形態では電源制御部１０６は、電源入力端子１１から供給される電力をＨＤＤに供給する。なお、電力はＵＳＢケーブルによるＵＳＢバスパワーによって供給されてもよく、その場合には電源制御部１０６はＵＳＢケーブルから供給される電力の制御を行う。
【００３４】
以上説明した本実施形態のＨＤＤ接続装置１によれば、ＨＤＤが使用されている状態において、差し込まれて接続されているＨＤＤが正常であるか異常であるかを特別な操作をすることなく一目で確認することができる。これにより、たとえばＬＥＤ表示部２の黄色ＬＥＤが点灯し、ユーザがＨＤＤが注意状態であることを確認した場合に、完全に故障状態になる前にデータのバックアップを取るなどしてデータを保全したり、修理をしてデータ読み込みが不可能になることを防いだりすることができる。従って、より安全に外付けＨＤＤを使用することができる。
【００３５】
本考案を特定の態様により詳細に説明したが、本考案の精神および範囲を逸脱しないかぎり、様々な変更および改質がなされ得ることは、当業者には自明であろう。
【００３６】
以上に詳述したように、本考案によれば、ハードディスクドライブが正常であるか異常であるかを簡単に把握することができるハードディスクドライブ接続装置を提供することができる。
【符号の説明】
【００３７】
１      ＨＤＤ接続装置
２      ＬＥＤ表示部
４      電源ボタン
１０    ＵＳＢ端子
１１    電源入力端子
１２    プロセッサ
１４    メモリ
１６    差込穴
１８    イジェクトボタン
２０    接続端子
２２    支持部
１００  診断部
１０２  表示制御部
１０４  データ通信制御部
１０６  電源制御部
【図１】
0003178768.tif 000003
【図２】
0003178768.tif 000004
【図３】
0003178768.tif 000005
【図４】
0003178768.tif 000006